(57)【要約】【課題】回動片を有するシリンダ錠を内ネジ付の錠箱取付凹部に取り付けできるようにし、回動片付シリンダ錠の汎用性を向上させる。【解決手段】錠本体１５を、錠箱の内ネジ付の取付凹部に螺着するシリンダ錠の取付構造であって、錠本体１５を覆う一対の半割円筒と、錠本体１５の後部に外挿され外面に周溝及び平坦面を有する押さえ筒と、後部外周に錠箱に螺合する外ネジ６７を有し半割円筒及び押さえ筒を装着した錠本体１５を回転自在に挿入し回転規制溝７５を有するとともに周溝に一致するネジ穴を有したシリンダ筒３３と、シリンダ筒３３に外挿されて回転規制される化粧リング３５と、ネジ穴に螺合して周溝に突出することで押さえ筒の軸線方向の移動を規制する抜け留めネジと、錠箱に設けられ先端が回転規制溝を貫通して平坦面に当接する回転規制杆とを設けた。【選択図】      図１
2009144466.tif 000002
【特許請求の範囲】
【請求項１】
外周面に突起を有するとともに後端面に回動片が突出した錠本体を、底面に前記回動片の係合する入力部材が配置された錠箱の内ネジを有する取付凹部に螺着するシリンダ錠の取付構造であって、
前記突起による段差を隠して回転及び軸線方向の移動が規制されて前記錠本体を覆って外装されるとともに、後部外面に周溝及び平坦面を有する筒体と、
前記内ネジに螺合する外ネジを後部に有し前記筒体を装着した前記錠本体を前部からの抜けを規制して後部開口から相対回転自在に挿入し軸線方向の回転規制溝を有するとともに前記周溝に一致するネジ穴を有したシリンダ筒と、
該シリンダ筒の後端から外挿されて回転及び前端からの抜けが規制される化粧リングと、
前記ネジ穴に螺合して前記周溝に突出することで前記筒体の軸線方向の移動を規制する抜け留めネジと、
前記錠箱に設けられ前記取付凹部の軸線に直交方向で移動され先端が前記回転規制溝を貫通して前記平坦面に当接する回転規制杆と、
を具備したことを特徴とするシリンダ錠の取付構造。
【請求項２】
前記筒体は、
回転及び軸線方向の移動が規制されて前記錠本体を覆う一対の半割円筒と、
回転が規制されて前記錠本体の後部に外挿され外面に周溝及び平坦面を有する押さえ筒とで構成されることを特徴とする請求項１記載のシリンダ錠の取付構造。
【請求項３】
前記錠本体の後端面に当接する樹脂材料からなる抜け留め蓋が、前記シリンダ筒の後部内周に圧入されることを特徴とする請求項１又は２記載のシリンダ錠の取付構造。
【請求項４】
前記回転規制溝に、前記化粧リングから突出した係合片が挿入されて該化粧リングと前記シリンダ筒が一体回転することを特徴とする請求項１又は２又は３記載のシリンダ錠の取付構造。
【発明の詳細な説明】
【技術分野】
【０００１】
本発明は、外周面に突起を有するとともに後端面から回動片が突出した錠本体を、錠箱の内ネジ付取付凹部に螺着するシリンダ錠の取付構造に関し、特に、錠本体に外ネジ付シリンダ筒を回動自在に外挿することでねじ込み式錠箱への回動片付シリンダ錠の取付を可能とする改良技術に関する。
【背景技術】
【０００２】
扉室外面に表出するシリンダ錠と、扉内に内蔵される錠箱からなる施錠装置は、錠箱が取り付けられた後、シリンダ錠が取り付けられる。このようなシリンダ錠の取付構造には、錠箱に設けられた内ネジ付の取付凹部に、シリンダ錠後端部の外周に形成した外ネジを螺着することで、シリンダ錠を錠箱に取り付けるものがある。一般的に、シリンダ錠の後端面には回動片（所謂、テールピース）が突出され、回動片はシリンダ錠に挿入された合鍵の回転に伴って回転される。シリンダ錠は、錠箱に取り付けられた状態で、この回動片が錠箱取付凹部の底面に配置される入力部材（所謂、ダルマ）に係合する。これにより、合鍵の施解錠操作回転が回動片を介して入力部材に伝わり、錠箱内の施解錠機構を作動させる。
【０００３】
ところで、上記したねじ込み式のシリンダ錠では、回動片が後端面から突出されていない。その代わりに鍵穴に挿入された合鍵の先端が後端面から突出され、錠箱取付凹部の入力部材に係合するようになっている。したがって、ねじ込み式シリンダ錠を、錠箱取付凹部の内ネジに螺合する過程では、後端面に回動片が突出していないため、ねじ込み途中で回動片が入力部材に干渉することがなく、最終ねじ込み位置までシリンダ錠をねじ込んで螺着することが可能となった。
【発明の開示】
【発明が解決しようとする課題】
【０００４】
しかしながら、シリンダ錠ねじ込み式の施錠装置において、より防犯性の高いシリンダ錠である、回動片を有するシリンダ錠へ交換したい場合、単にシリンダ錠の後部外周に外ネジを設けるのみでは、シリンダ錠を錠箱取付凹部の内ネジにねじ込む途中で、回動片が入力部材に干渉してしまい、最終ねじ込み位置までシリンダ錠をねじ込めず取付が不可能となった。また、シリンダ錠の外形状として、内部機構の変更に伴い、ロッキングバーを収容するための突起が形成され、この形状からもねじ込みを不可能としていた。これに対し、錠箱まで交換すれば、交換作業労力が増大するとともに、部品コストも増大した。このため、内ネジを有する錠箱取付凹部に対し、回動片を有するシリンダ錠を取付可能にするシリンダ錠取付構造の開発要請があった。
【０００５】
本発明は上記状況に鑑みてなされたもので、回動片を有するシリンダ錠や、外周面に突起を有するシリンダ錠を内ネジ付の錠箱取付凹部に取り付けできるシリンダ錠の取付構造を提供し、もって、回動片付シリンダ錠の汎用性向上を図ることを目的とする。
【課題を解決するための手段】
【０００６】
次に、上記の課題を解決するための手段を、実施の形態に対応する図面を参照して説明する。
本発明の請求項１記載のシリンダ錠の取付構造は、外周面に突起５５を有するとともに後端面１１に回動片１３が突出した錠本体１５を、底面１７に前記回動片１３の係合する入力部材１９が配置された錠箱２１の内ネジ２３を有する取付凹部２５に螺着するシリンダ錠の取付構造であって、
前記突起５５による段差を隠して回転及び軸線方向の移動が規制されて前記錠本体１５を覆って外装されるとともに、後部外面に周溝６３及び平坦面６５を有する筒体３０と、
前記内ネジ２３に螺合する外ネジ６７を後部に有し前記筒体３０を装着した前記錠本体１５を前部からの抜けを規制して後部開口６９から相対回転自在に挿入し軸線方向の回転規制溝７５を有するとともに前記周溝６３に一致するネジ穴７９を有したシリンダ筒３３と、
該シリンダ筒３３の後端から外挿されて回転及び前端からの抜けが規制される化粧リング３５と、
前記ネジ穴７９に螺合して前記周溝６３に突出することで前記筒体３０の軸線方向の移動を規制する抜け留めネジ３７と、
前記錠箱２１に設けられ前記取付凹部２５の軸線に直交方向で移動され先端が前記回転規制溝７５を貫通して前記平坦面６５に当接する回転規制杆３９と、
を具備したことを特徴とする。
【０００７】
このシリンダ錠の取付構造では、錠本体１５に外挿されたシリンダ筒３３が化粧リング３５を介して回転されると、錠本体１５は回転せずに、回動片１３が姿勢を保持したまま錠箱２１の入力部材係合位置まで後退される。
【０００８】
請求項２記載のシリンダ錠の取付構造は、前記筒体３０は、
回転及び軸線方向の移動が規制されて前記錠本体１５を覆う一対の半割円筒２７，２９と、
回転が規制されて前記錠本体１５の後部に外挿され外面に周溝６３及び平坦面６５を有する押さえ筒３１とで構成されることを特徴とする。
【０００９】
このシリンダ錠の取付構造では、筒体３０を、分割構造としたので、組立が容易なものとなる。
【００１０】
請求項３記載のシリンダ錠の取付構造は、前記錠本体１５の後端面に当接する樹脂材料からなる抜け留め蓋９１が、前記シリンダ筒３３の後部内周に圧入されることを特徴とする。
【００１１】
このシリンダ錠の取付構造では、シリンダ筒３３の後部内周に圧入固定された抜け留め蓋９１が、シリンダ筒３３の内部に相対回転自在に収容されている錠本体１５の後端面に当接され、錠本体１５の軸線方向の移動が規制される。
なお、錠本体１５は、抜け留めネジ３７によって抜けが規制される押さえ筒３１の前端面に、錠本体１５に対して軸線方向の移動が規制されて装着された半割円筒２７，２９の後端面が当接することで抜けが規制される。
【００１２】
請求項４記載のシリンダ錠の取付構造は、前記回転規制溝７５に、前記化粧リング３５から突出した係合片８７が挿入されて該化粧リング３５と前記シリンダ筒３３が一体回転することを特徴とする。
【００１３】
このシリンダ錠の取付構造では、化粧リング３５が回転されると、シリンダ筒３３が化粧リング３５と同期して回転され、シリンダ筒３３が化粧リング３５と係合維持したままねじ込みに伴って後方へ徐々に相対スライドされる。つまり、化粧リング３５とシリンダ筒３３が、相対回転不能に規制されながら軸線方向に相対スライド自在となる。
【発明の効果】
【００１４】
本発明に係る請求項１記載のシリンダ錠の取付構造によれば、錠本体を覆う筒体と、錠箱に螺合する外ネジを有し筒体を装着した錠本体を相対回転自在に挿入し回転規制溝を有するとともに周溝に一致するネジ穴を有したシリンダ筒と、シリンダ筒に外挿されて回転規制される化粧リングと、ネジ穴に螺合して周溝に突出することで筒体の軸線方向の移動を規制する抜け留めネジと、錠箱に設けられ先端が回転規制溝を貫通して平坦面に当接する回転規制杆とを設けたので、錠本体に外挿したシリンダ筒を、化粧リングを介して回転させることで、錠本体を回転させずに、回動片を姿勢保持したまま錠箱の入力部材に係合する位置まで後退させることができる。この結果、回動片を有するシリンダ錠を内ネジを有する錠箱取付凹部に取り付けでき、回動片付シリンダ錠の汎用性を向上させることができる。
【００１５】
請求項２記載のシリンダ錠の取付構造によれば、筒体を、一対の半割円筒と、押さえ筒とで、分割構造としたので、組立が容易なものとなる。また、半割円筒の厚みを、錠本体の突起の高さに合せることで、錠本体に対する筒体の取付状態の外直径が大きくならない。
【００１６】
請求項３記載のシリンダ錠の取付構造によれば、錠本体の後端面に当接する樹脂材料からなる抜け留め蓋を、シリンダ筒の後部内周に圧入したので、錠本体の後部が抜け留め蓋に当接し、錠本体の軸線方向のガタツキを無くすことができる。
【００１７】
請求項４記載のシリンダ錠の取付構造によれば、回転規制溝に、化粧リングから突出した係合片を挿入して化粧リングとシリンダ筒を一体回転させるので、化粧リングを回転すれば、シリンダ筒が化粧リングと同期して回転し、シリンダ筒を、化粧リングと係合維持させたままねじ込みに伴って後方へ徐々に相対スライドさせて取付凹部に螺着できる。これにより、付勢手段による扉面への化粧リングの密着取付が可能となる。
【発明を実施するための最良の形態】
【００１８】
以下、本発明に係るシリンダ錠の取付構造の好適な実施の形態を図面を参照して詳細に説明する。
図１は本発明に係る取付構造を有したシリンダ錠を前面側から見た基本取付姿勢での斜視図、図２は図１のシリンダ錠を後面側から見た斜視図、図３は錠箱内部の側面図である。なお、本実施の形態ではシリンダ錠の鍵穴側を前方、シリンダ錠の回動片側を後方として説明する。
本実施の形態に係るシリンダ錠の取付構造は、後端面１１に回動片（テールピース）１３の突出した錠本体１５を、底面１７にテールピース１３の係合する入力部材（ダルマ）１９が配置された錠箱２１の、内ネジ２３を有する取付凹部２５に螺着することを目的としている。
【００１９】
図４は錠本体とシリンダ筒の分解斜視図、図５は錠本体、半割円筒、押さえ筒の分解斜視図である。
そのための主要構成として、本取付構造は、錠本体１５を覆う筒体３０を構成する一対の半割円筒２７，２９と、錠本体１５の後部に外挿される筒体３０を構成する押さえ筒３１と、内ネジ２３に螺合するシリンダ筒３３と、シリンダ筒３３に外挿される化粧リング３５と、シリンダ筒３３に螺合する抜け留めネジ３７と、錠箱２１に設けられ取付凹部２５の軸線に直交方向で移動される回転規制杆３９とを備えている。
【００２０】
錠箱２１は、内蔵した施解錠機構によって、図３に示すデッドボルト４３を扉の木口から進退させる。進退機構は、錠本体１５のテールピース１３或いはサムターンからダルマ１９に入力される回動操作力によって、デッドボルト４３を進退動作させる。錠本体１５は、扉に彫り込んだ状態に内蔵され、扉木口を覆うフロント板４５を備える。フロント板４５は、デッドボルト４３を進退させるための穴４７を有している。デッドボルト４３は、この穴４７を通過することで、木口から突出し、錠箱内に後退する。
【００２１】
錠本体１５は、外装部材としての図５に示す外筒４９を有する。外筒４９には内筒５１が回動自在に内設され、内筒５１はロッキングバー５３（図７参照）によって回転が規制・規制解除される。例えばディスクタイプのタンブラーを有する錠本体１５は、合鍵を抜きとった状態でロッキングバー５３がスプリングによって外筒４９の溝（図示せず）に押しつけられ、この状態で内筒５１を回転させようとしても、ロッキングバー５３の後退する切欠がタンブラーにないため、ロッキングバー５３は溝から抜け出ることができず、内筒５１を回転させることができない。
【００２２】
一方、合鍵が差し込まれると、タンブラーは合鍵のきざみによって押され、切欠がロッキングバー５３に一致して整列する。この状態で内筒５１を回転させると、溝とロッキングバー５３のテーパーによって、スプリングに抗してロッキングバー５３が切欠に入り溝から抜け出て、内筒５１を回転させる。外筒５１の外周には溝を内部に形成するための突起５５が外筒４９の軸線方向に沿って突設されている。
【００２３】
半割円筒２７，２９は、突起５５の高さに略一致した厚みで構成され、突起５５を挟んで錠本体１５を覆う。半割円筒２７，２９の対向面には凸部５７ａ，５７ｂが突設され、凸部５７ａ，５７ｂは半割円筒２７，２９が合わされると先端同士が対向する。これにより、間隙５９ａ，５９ｂが形成される。この間隙５９ａ，５９ｂに突起５５が配置されることで、半割円筒２７，２９は、回転及び軸線方向の移動が規制されて錠本体１５を覆い、また、錠本体１５の突起５５の位置における外径での構成となる。
【００２４】
押さえ筒３１は、回転が規制されて錠本体１５の後部に外挿される。押さえ筒３１は、半割円筒２７，２９よりやや厚みがあり、この押さえ筒３１の内面には軸線方向の突起収容溝６１，６１が上下に形成されている。押さえ筒３１は、突起５５に突起収容溝６１，６１を嵌合することで回転が規制される。押さえ筒３１の外面には周溝６３が形成され、周溝６３にはシリンダ筒３３に螺合貫通した抜け留めネジ３７の先端が挿入される。また、押さえ筒３１の外面には平坦面６５が形成され、平坦面６５は錠箱２１に設けられた回転規制杆３９の先端に当接される。後述するように、押さえ筒３１は、回転規制杆３９が平坦面６５に当接することで回転規制される。
【００２５】
シリンダ筒３３は、内ネジ２３に螺合する外ネジ６７を後部に有する。シリンダ筒３３は、半割円筒２７，２９、押さえ筒３１を装着した錠本体１５を、前部からの抜けを規制して、後部開口６９から相対回転自在に挿入する。実際には錠箱２１への取付時、錠本体１５が静止し、シリンダ筒３３が回転されることとなる。シリンダ筒３３の前端には前壁７１が設けられ、前壁７１は内筒５１を表出させる開口穴７３を有する。シリンダ筒３３は、この前壁７１によって前部からの錠本体１５の抜けを規制する。
【００２６】
図６は図１に示したシリンダ錠の横断面図、図７は図１に示したシリンダ錠の縦断面図、図８はシリンダ筒のみ４５度傾斜面で断面視した縦断面図である。
シリンダ筒３３には軸線方向の一対の回転規制溝７５，７５が形成され、回転規制溝７５，７５は後端がシリンダ筒３３の後端面で開放される。この回転規制溝７５，７５のいずれか一方には回転規制杆３９が挿入される。回転規制溝７５を貫通した回転規制杆３９の先端は、押さえ筒３１の平坦面６５に当接される。また、シリンダ筒３３にはネジ穴７９が形成され、ネジ穴７９は押さえ筒３１の周溝６３に一致する。つまり、ネジ穴７９に螺合された抜け留めネジ３７が、図８に示すように周溝６３に突出し、押さえ筒３１の軸線方向の移動を規制するようになっている。
【００２７】
図６に示すように、シリンダ筒３３の先端には飾り筒８１が被せられて固定される。図中８３は、飾り筒下板を示す。化粧リング３５は、シリンダ筒３３の後端から挿入されてこの飾り筒８１の外周側に配置される。化粧リング３５は、後端折り曲げ部３５ａと、飾り筒８１の後端面との間に配設された付勢手段であるバネ８５の付勢力により後方に付勢されるとともに、飾り筒８１の前端からの抜けが規制される。
【００２８】
化粧リング３５には係合片８７が突設され、係合片８７はシリンダ筒３３の回転規制溝７５，７５に挿入される。係合片８７は、化粧リング３５とシリンダ筒３３を一体回転させる。化粧リング３５が回転されると、シリンダ筒３３と化粧リング３５が同期して回転され、シリンダ筒３３が化粧リング３５と係合維持したままねじ込みに伴って後方へ徐々に相対スライドされる。つまり、化粧リング３５とシリンダ筒３３が、相対回転不能に規制されながら軸線方向に相対スライド自在となっている。これにより、化粧リング３５は、バネ８５により不図示の扉室外面に押付けられて密着取付が可能となっている。
【００２９】
シリンダ筒３３の後部内周８９には樹脂材料からなる抜け留め蓋９１が圧入され、抜け留め蓋９１は図６，７に示すように錠本体１５の後端面に当接する。抜け留め蓋９１は、錠本体１５の軸線方向の移動を規制する。これにより、錠本体１５の軸線方向のガタツキを無くすことができる。なお、錠本体１５は、抜け留めネジ３７によって抜けが規制される押さえ筒３１の前端面に、錠本体１５に対して軸線方向の移動が規制されて装着された半割円筒２７，２９の後端面が当接することで抜けが規制される。
【００３０】
次に、上記の構成を有する取付構造の作用を説明する。
図９は錠箱取付工程の取付手順説明図、図１０はシリンダ錠ねじ込み工程の取付手順説明図、図１１はシリンダ筒回転途中行程の取付手順説明図、図１２は回転規制杆による回転規制工程の取付手順説明図である。
図９に示すように、扉９５に形成された錠箱収容空間９７に、錠箱２１を木口開口９９から挿入し、取付板４４をビス１０１，１０１にて木口１０３に固定する。扉９５の室外面９５ａには錠箱２１の取付凹部２５と一致する取付穴１０５を穿設しておく。図１０に示すように、錠本体１５の鍵穴１０７に例えば合鍵（図示せず）を挿入し、合鍵を持った状態でシリンダ筒３３の後端を取付穴１０５へ挿入し、取付凹部２５に一致させる。
【００３１】
次いで、化粧リング３５を回転することで、シリンダ筒３３を一体回転する。シリンダ筒３３の外ネジ６７が取付凹部２５の内ネジ２３に掛ると化粧リング３５を回すことで、シリンダ筒３３は錠箱２１にねじ込まれる。半割円筒２７，２９、押さえ筒３１を装着した錠本体１５は、シリンダ筒３３の中で相対回転自在となっているので図１１に示すように、テールピース１３を水平に保ったまま錠箱２１のダルマ１９にテールピース１３が掛る位置まで後退する。シリンダ筒３３を十分にねじ込んだら、回転規制杆３９のビス頭部３９ａをドライバ１１３などの工具で回す。これにより、回転規制杆３９（図３参照）を回転規制溝７５に挿入するとともに平坦面６５に当接し、シリンダ筒３３、押さえ筒３１を回転規制する。
【００３２】
この状態で、シリンダ筒３３は外ネジ６７によって軸線方向の移動が規制される。押さえ筒３１は、シリンダ筒３３に螺合する抜け留めネジ３７に係合して軸線方向の移動が規制される。半割円筒２７，２９は、押さえ筒３１の前端に、後端が当接することで、軸線方向の移動が規制される。錠本体１５は、軸線方向の移動が規制された半割円筒２７，２９に挟持されることにより抜けが規制される。最後に、取付板４４に、フロント板４５を取付け、ビス頭部３９ａを覆ってシリンダ錠の取付けを完了する。
【００３３】
したがって、上記のシリンダ錠の取付構造によれば、錠本体１５を覆う一対の半割円筒２７，２９と、錠本体１５の後部に外挿され外面に周溝６３及び平坦面６５を有する押さえ筒３１と、錠箱２１に螺合する外ネジ６７を有し半割円筒２７，２９及び押さえ筒３１を装着した錠本体１５を相対回転自在に挿入し回転規制溝７５を有するとともに周溝６３に一致するネジ穴７９を有したシリンダ筒３３と、シリンダ筒３３に外挿されて回転規制される化粧リング３５と、ネジ穴７９に螺合して周溝６３に突出することで押さえ筒３１の軸線方向の移動を規制する抜け留めネジ３７と、錠箱２１に設けられ先端が回転規制溝７５を貫通して平坦面６５に当接する回転規制杆３９とを設けたので、錠本体１５に外挿したシリンダ筒３３を、化粧リング３５を介して回転させることで、錠本体１５を回転させずに、テールピース１３を水平に姿勢保持したまま錠箱２１のダルマ１９に係合する位置まで後退させることができる。この結果、テールピース１３を有するシリンダ錠を内ネジ２３を有する錠箱取付凹部２５に取り付けでき、回動片付シリンダ錠の汎用性を向上させることができる。
【００３４】
また、回転規制溝７５に、化粧リング３５から突出した係合片８７を挿入して化粧リング３５とシリンダ筒３３を一体回転させるので、化粧リング３５を回転すれば、シリンダ筒３３が同期して回転し、化粧リング３５と係合維持させたままシリンダ筒３３をねじ込みに伴って後方へ徐々に相対スライドさせて取付凹部２５に螺着できる。化粧リング３５は、バネ８５の付勢力に抗して前方へ移動させた状態で回転でき、ねじ込み完了後に、手を離せば、バネ８５の付勢力により扉室外面９５ａに押付けられ、隙間無く取り付けることができる。なお、化粧リング３５の後端を扉９５の室外面９５ａに当接して回転すれば、スライド距離だけ化粧リング３５のバネ８５が圧縮されることとなる。これにより、付勢手段による扉面への化粧リング３５の密着取付が可能となる。
【図面の簡単な説明】
【００３５】
【図１】本発明に係る取付構造を有したシリンダ錠を前面側から見た基本取付姿勢での斜視図である。
【図２】図１のシリンダ錠を後面側から見た斜視図である。
【図３】錠箱内部の側面図である。
【図４】錠本体とシリンダ筒の分解斜視図である。
【図５】錠本体、半割円筒、押さえ筒の分解斜視図である。
【図６】図１に示したシリンダ錠の横断面図である。
【図７】図１に示したシリンダ錠の縦断面図である。
【図８】シリンダ筒のみ４５度傾斜面で断面視した縦断面図である。
【図９】錠箱取付工程の取付手順説明図である。
【図１０】シリンダ錠ねじ込み工程の取付手順説明図である。
【図１１】シリンダ筒回転途中行程の取付手順説明図である。
【図１２】回転規制杆による回転規制工程の取付手順説明図である。
【符号の説明】
【００３６】
１１…後端面
１３…回動片（テールピース）
１５…錠本体
１７…底面
１９…入力部材（ダルマ）
２１…錠箱
２３…内ネジ
２５…取付凹部
２７，２９…半割円筒
３０…筒体
３１…押さえ筒
３３…シリンダ筒
３５…化粧リング
３７…抜け留めネジ
３９…回転規制杆
５５…突起
６３…周溝
６５…平坦面
６７…外ネジ
６９…後部開口
７５…回転規制溝
７９…ネジ穴
８７…係合片
８９…後部内周
９１…抜け留め蓋
【図１】
2009144466.tif 000003
【図２】
2009144466.tif 000004
【図３】
2009144466.tif 000005
【図４】
2009144466.tif 000006
【図５】
2009144466.tif 000007
【図６】
2009144466.tif 000008
【図７】
2009144466.tif 000009
【図８】
2009144466.tif 000010
【図９】
2009144466.tif 000011
【図１０】
2009144466.tif 000012
【図１１】
2009144466.tif 000013
【図１２】
2009144466.tif 000014